(57)【要約】【課題】簡易組み立て可能でありながら、より安定した間仕切りを可能とし、好適には美観を向上させた間仕切り装置を提供する。【解決手段】本発明による第１態様の間仕切り装置は、複数の柱部材２、複数の柱部材２の各々をそれぞれ個別に直立支持する脚部材４、及び複数の柱部材２間に設置される遮蔽材１Ａを備え、複数の柱部材２の各々は、その上端を含む複数個所で複数方向から遮蔽材１Ａの上辺端部を支持するための複数の支持部として機能するフック３１を有する。また、本発明による第２態様の間仕切り装置は、複数の柱部材２、複数の柱部材２の各々をそれぞれ個別に直立支持する脚部材４、及び複数の柱部材２間に設置される遮蔽材１Ａを備え、遮蔽材１Ａにおける両側辺の少なくとも一部が、対応する複数の柱部材２、又は脚部材４に対して支持されている。【選択図】図１
2020045725.tif 000002
【特許請求の範囲】
【請求項１】
簡易組み立て可能な間仕切り装置であって、
複数の柱部材と、
前記複数の柱部材の各々をそれぞれ個別に直立支持する脚部材と、
前記複数の柱部材間に設置される遮蔽材と、を備え、
前記複数の柱部材の各々は、その上端を含む複数個所で複数方向から前記遮蔽材の上辺端部を支持するための複数の支持部を有することを特徴とする間仕切り装置。
【請求項２】
前記複数の柱部材の各々は、その上端にて着脱可能に蓋着されるキャップ部材を有し、
前記複数の支持部は、前記キャップ部材にのみ設けられていることを特徴とする、請求項１に記載の間仕切り装置。
【請求項３】
前記複数の柱部材の各々における当該支持部は、前記遮蔽材の上辺端部を支持するためのフック、凹部、又は吸着部材により構成されていることを特徴とする、請求項１又は２に記載の間仕切り装置。
【請求項４】
前記遮蔽材の上辺は、支持バーを袋縫による袋縫支持、掴持部材による掴持支持、フック材によるフック受け支持、吸着部材による吸着支持のうちいずれかにより支持され、前記遮蔽材の上辺端部は、前記遮蔽材の上辺両端から部分的に突出する前記支持バーの端部で構成されていることを特徴とする、請求項１から３のいずれか一項に記載の間仕切り装置。
【請求項５】
前記支持バーは、連結される支持バー素材、又は入れ子構造の支持バー素材により伸縮自在に構成されていることを特徴とする、請求項４に記載の間仕切り装置。
【請求項６】
簡易組み立て可能な間仕切り装置であって、
複数の柱部材と、
前記複数の柱部材の各々をそれぞれ個別に直立支持する脚部材と、
前記複数の柱部材間に設置される遮蔽材と、を備え、
前記遮蔽材における両側辺の少なくとも一部が、対応する前記複数の柱部材、又は前記脚部材に対して支持されていることを特徴とする間仕切り装置。
【請求項７】
前記遮蔽材における両側辺の全部が、対応する前記複数の柱部材に対して支持されていることを特徴とする、請求項６に記載の間仕切り装置。
【請求項８】
前記遮蔽材の上辺に、弾性変形で自由曲折可能なワイヤが包設されていることを特徴とする、請求項６又は７に記載の間仕切り装置。
【請求項９】
前記脚部材は、複数方向から前記遮蔽材の下辺端部又は下辺の一部を係止する係止手段を有することを特徴とする、請求項１から８のいずれか一項に記載の間仕切り装置。
【請求項１０】
前記脚部材における係止手段は、前記遮蔽材の下辺端部又は下辺の一部を、落とし込み挿入で係止する挿入溝、又はスナップ嵌合で係止するスナップ溝で構成されていることを特徴とする、請求項９に記載の間仕切り装置。
【請求項１１】
前記脚部材における係止手段は、前記遮蔽材の下辺端部又は下辺の一部を複数方向から係止する十字状の挿入溝で構成されていることを特徴とする、請求項９に記載の間仕切り装置。
【請求項１２】
前記複数の柱部材の各々は、連結される柱素材、又は入れ子構造の柱素材により伸縮自在に構成されていることを特徴とする、請求項１から１１のいずれか一項に記載の間仕切り装置。
【請求項１３】
前記複数の柱部材の各々は、１枚で構成される当該遮蔽材を、３本以上で構成される前記複数の柱部材に亘って連架する連架手段を有することを特徴とする、請求項１から１２のいずれか一項に記載の間仕切り装置。
【発明の詳細な説明】
【技術分野】
【０００１】
本発明は、容易に組み立て可能な簡易式の間仕切り装置に関する。
【背景技術】
【０００２】
近年、自由に空間を区切ることができるように、容易に組み立て可能な簡易式の間仕切り装置が要望されている。
【０００３】
このような簡易式の間仕切り装置として、複数の柱部材を直立配置させ、各柱部材の上端間に架設されるバーにより遮蔽材（天幕や仕切り板）を吊下する構成（天幕等の取付支柱）が開示されている（例えば、特許文献１参照）。
【先行技術文献】
【特許文献】
【０００４】
【特許文献１】実公昭６３−１２３１７４号公報
【発明の概要】
【発明が解決しようとする課題】
【０００５】
上述したように、特許文献１に開示される間仕切り装置は、複数の柱部材を直立配置させ、各柱部材の上端間に架設されるバーにより遮蔽材を吊下するものとなっている。
【０００６】
しかしながら、特許文献１に開示される間仕切り装置では、遮蔽材がばたついてしまいプライバシーを全く保つことができず、バーと遮蔽材との間や複数の遮蔽材間の隙間も大きくなり美観も損なうという問題がある。
【０００７】
例えば、被災地等で仮設される避難所（体育館等）では、現場で自由に空間を区切ることができ、容易に組み立て可能な簡易式の間仕切り装置が要望されるが、特許文献１の間仕切り装置を、そのような避難所（体育館等）における広空間を間仕切りするのに用いても、人が近くを歩くだけで遮蔽材がばたついてしまいプライバシーを全く保つことができない。
【０００８】
また、特許文献１の間仕切り装置では、バーと遮蔽材との間や複数の遮蔽材間の隙間も大きくなり美観も損なうため、被災者のストレスを少しでも緩和させたい用途には向いていない。
【０００９】
このため、簡易組み立て可能でありながら、より安定した間仕切りを可能とし、好適には美観を向上させた間仕切り装置が要望される。
【００１０】
そこで、本発明の目的は、上述の問題に鑑みて、簡易組み立て可能でありながら、より安定した間仕切りを可能とし、好適には美観を向上させた間仕切り装置を提供することにある。
【課題を解決するための手段】
【００１１】
本発明による第１態様の間仕切り装置は、簡易組み立て可能な間仕切り装置であって、複数の柱部材と、前記複数の柱部材の各々をそれぞれ個別に直立支持する脚部材と、前記複数の柱部材間に設置される遮蔽材と、を備え、前記複数の柱部材の各々は、その上端を含む複数個所で複数方向から前記遮蔽材の上辺端部を支持するための複数の支持部を有することを特徴とする。
【００１２】
また、本発明による第１態様の間仕切り装置において、前記複数の柱部材の各々は、その上端にて着脱可能に蓋着されるキャップ部材を有し、前記複数の支持部は、前記キャップ部材にのみ設けられていることを特徴とする。
【００１３】
また、本発明による第１態様の間仕切り装置において、前記複数の柱部材の各々における当該支持部は、前記遮蔽材の上辺端部を支持するためのフック、凹部、又は吸着部材により構成されていることを特徴とする。
【００１４】
また、本発明による第１態様の間仕切り装置において、前記遮蔽材の上辺は、支持バーを袋縫による袋縫支持、掴持部材による掴持支持、フック材によるフック受け支持、吸着部材による吸着支持のうちいずれかにより支持され、前記遮蔽材の上辺端部は、前記遮蔽材の上辺両端から部分的に突出する前記支持バーの端部で構成されていることを特徴とする。
【００１５】
また、本発明による第１態様の間仕切り装置において、前記支持バーは、連結される支持バー素材、又は入れ子構造の支持バー素材により伸縮自在に構成されていることを特徴とする。
【００１６】
更に、本発明による第２態様の間仕切り装置は、簡易組み立て可能な間仕切り装置であって、複数の柱部材と、前記複数の柱部材の各々をそれぞれ個別に直立支持する脚部材と、前記複数の柱部材間に設置される遮蔽材と、を備え、前記遮蔽材における両側辺の少なくとも一部が、対応する前記複数の柱部材、又は前記脚部材に対して支持されていることを特徴とする。
【００１７】
また、本発明による第２態様の間仕切り装置において、前記遮蔽材における両側辺の全部が、対応する前記複数の柱部材に対して支持されていることを特徴とする。
【００１８】
また、本発明による第２態様の間仕切り装置において、前記遮蔽材の上辺に、弾性変形で自由曲折可能なワイヤが包設されていることを特徴とする。
【００１９】
また、本発明による第１及び第２態様の間仕切り装置において、前記脚部材は、複数方向から前記遮蔽材の下辺端部又は下辺の一部を係止する係止手段を有することを特徴とする。
【００２０】
また、本発明による第１及び第２態様の間仕切り装置において、前記脚部材における係止手段は、前記遮蔽材の下辺端部又は下辺の一部を、落とし込み挿入で係止する挿入溝、又はスナップ嵌合で係止するスナップ溝で構成されていることを特徴とする。
【００２１】
また、本発明による第２態様の間仕切り装置において、前記脚部材における係止手段は、前記遮蔽材の下辺端部又は下辺の一部を複数方向から係止する十字状の挿入溝で構成されていることを特徴とする。
【００２２】
また、本発明による第１及び第２態様の間仕切り装置において、前記複数の柱部材の各々は、連結される柱素材、又は入れ子構造の柱素材により伸縮自在に構成されていることを特徴とする。
【００２３】
また、本発明による第１及び第２態様の間仕切り装置において、前記複数の柱部材の各々は、１枚で構成される当該遮蔽材を、３本以上で構成される前記複数の柱部材に亘って連架する連架手段を有することを特徴とする。
【発明の効果】
【００２４】
本発明によれば、間仕切り装置として、簡易組み立て可能でありながら、より安定した間仕切りを可能とし、より美観を向上させることができる。
【図面の簡単な説明】
【００２５】
【図１】本発明による第１実施形態の間仕切り装置の概略的な基本構成を示す斜視図である。
【図２】本発明による第１実施形態の間仕切り装置の概略的な基本構成を示す分解斜視図である。
【図３】本発明による第１実施形態の間仕切り装置による応用例１の概略構成を示す斜視図である。
【図４】本発明による第１実施形態の間仕切り装置による応用例２の概略構成を示す斜視図である。
【図５】（ａ）乃至（ｄ）は、それぞれ本発明による第１実施形態の間仕切り装置における支持バーにより遮蔽材を吊下する際の構成例を示す図である。
【図６】（ａ）乃至（ｄ）は、それぞれ本発明による第１実施形態の間仕切り装置における柱部材により遮蔽材を吊下する支持バーを保持する際の構成例を示す図である。
【図７】（ａ）乃至（ｄ）は、それぞれ本発明による第１実施形態の間仕切り装置における柱部材の構成例を示す図である。
【図８】（ａ）乃至（ｄ）は、それぞれ本発明による第１実施形態の間仕切り装置における柱部材の下端を支持する脚部材により、遮蔽材の側辺又は下辺の一部を保持するための脚部材の溝部の形状に関する構成例を示す図である。
【図９】本発明による第１実施形態の間仕切り装置における柱部材により、遮蔽材の側辺の一部を保持するための構成例を示す図である。
【図１０】本発明による第２実施形態の間仕切り装置の概略的な基本構成を示す斜視図である。
【図１１】本発明による第２実施形態の間仕切り装置の概略的な基本構成を示す分解斜視図である。
【図１２】本発明による第２実施形態の間仕切り装置による応用例１の概略構成を示す斜視図である。
【図１３】本発明による第２実施形態の間仕切り装置による応用例２の概略構成を示す斜視図である。
【図１４】本発明による第２実施形態の間仕切り装置による変形例の概略構成を示す斜視図である。
【発明を実施するための形態】
【００２６】
以下、図面を参照して、本発明による各実施形態の間仕切り装置を説明する。尚、本願明細書中、図１に示す間仕切り装置の斜視図に対して、図示上方及び図示下方を上方向（又は上側）及び下方向（又は下側）と定義し、図示左方向を間仕切り装置の左側、及び、図示右方向を間仕切り装置の右側と定義して説明する。また、図１の斜視図を視認する側を前側（室内側）とし、その反対側を後側（室外側）とする。
【００２７】
〔第１実施形態〕
（基本構成）
図１は、本発明による第１実施形態の間仕切り装置の概略的な基本構成を示す斜視図である。また、図２は、図１に示す間仕切り装置の分解斜視図である。図１に示す間仕切り装置は、２本の柱部材２と、柱部材２の上端に着脱可能に蓋着されるキャップ部材３と、柱部材２を直立支持する脚部材４と、生地（用途によっては板材でもよい）により構成される遮蔽材１Ａと、遮蔽材１Ａの上辺を保持し、その上辺の両端から一部を突出させる支持バー５と、遮蔽材１Ａの下辺を保持し、その下辺の両端から一部を突出させるウェイトバー６と、を備える。
【００２８】
図１及び図２に示す２本の柱部材２は、それぞれ同一の形状を有し、木材や金属材、或いは合成樹脂材や紙筒材等の材料を利用して、支柱として機能する限りにおいて用途に応じた任意の硬度・形状・大きさで形成される。搬送を考慮すれば、できる限り軽量のものとすることが好ましく、合成樹脂材や紙筒材等の材料を利用したものとするのが好適である。尚、図１及び図２に示す例では、四角断面形状の角材で柱部材２を構成する例を示しているが、図７を参照して後述するが、三角断面形状や六角断面等の多角断面形状の角材、又は円断面や楕円断面形状の丸材、或いは中空状の筒材としてもよい。
【００２９】
図２に示すように、柱部材２の上端には柱部材２の本体より一回り外形を小さくした嵌合凸部２１が形成されている。また、キャップ部材３には、その下端から穿設されたスナップ溝３２が形成されている。そして、柱部材２の上端に形成される嵌合凸部２１に、キャップ部材３に形成されるスナップ溝３２を嵌合させることで、キャップ部材３は柱部材２の上端に相対回転不能に蓋着されるのが好適であり、着脱可能となっている。
【００３０】
図１及び図２に示す各キャップ部材３は、それぞれ同一の形状を有し、木材や金属材、或いは合成樹脂材や紙筒材等の材料を利用して、支柱の一部として機能する限りにおいて用途に応じた任意の硬度・形状・大きさで形成される。キャップ部材３の外形は、柱部材２の外形と必ずしも一致させる必要はないが、図１及び図２に示す例では、キャップ部材３の外形を柱部材２の外形と一致させることで、その美観を高めている。
【００３１】
キャップ部材３には、複数の鉤状のフック３１が設けられている。図１に示す例では、四角状のキャップ部材３の各側面に１つずつ、計４個のフック３１が設けられている例を示しているが、キャップ部材３の或る隣接する側面に１つずつ計２個のフック３１を設ける（図１に示す実線のフック３１）など、キャップ部材３に対し水平面上で異なる向きとなるように２個以上のフック３１を設けたものとすることができる。つまり、キャップ部材３は柱部材２の上端に着脱可能となっているため、柱部材２に対し各フック３１を異なる方向に自由に選択して取着させることができる。従って、キャップ部材３に形成される複数のフック３１は、複数方向から遮蔽材１Ａの上辺端部を支持するための複数の支持部として機能する。
【００３２】
キャップ部材３のいずれかのフック３１には、遮蔽材１Ａの上辺を保持する支持バー５の端部が架設される。ここで、一対の柱部材２間に遮蔽材１Ａを架設した際に遮蔽材１Ａの側辺と柱部材２との間の隙間を抑制するためには、遮蔽材１Ａの上辺から部分的に突出させる支持バー５の端部の長さを、遮蔽材１Ａの側辺と柱部材２とが部分的に重なる範囲内でフック３１に掛装可能な長さとするのが好適である。
【００３３】
尚、キャップ部材３は、支持バー５の端部を架設できればよいことから、図６を参照して後述するが、フック３１の代わりに凹部を設けることや、マグネット等の吸着部材を利用する形態とすることもできる。
【００３４】
尚、図１及び図２に示す例では、柱部材２に対しキャップ部材３の各フック３１を異なる方向に自由に選択して取着させることができるように、柱部材２の上端にキャップ部材３を着脱可能とする好適例を示しているが、柱部材２の上端に複数のフック３１を直接設ける構成として、キャップ部材３を省略する形態とすることもできる。
【００３５】
図１及び図２に示す各脚部材４は、それぞれ同一の形状を有し、木材や金属材、或いは合成樹脂材等の材料を利用して、柱部材２を直立支持する部材であり、柱部材２が横転しにくいように、柱部材２を直立支持するように機能する限りにおいて用途に応じた任意の硬度・形状・大きさで形成される。尚、脚部材４を成樹脂材で形成するときは、図示しない錘部材を固着又は内包させて、柱部材２が横転しにくいように所定の重さを持たせるように構成してもよい。
【００３６】
図１及び図２に示すように、脚部材４には、柱部材２の下端を挿通し保持するための柱部材２の外形に係合する支持溝４１が形成されている。また、脚部材４には、ウェイトバー６の端部、或いは遮蔽材１Ａの下角部（下辺端部）又は下辺の一部を係止する十字状の溝部４２が複数個所（図示する例では４箇所）に形成されている。溝部４２は、図１に示す例のように、柱部材２に対しフック３１を利用して遮蔽材１Ａの上辺を支持する支持バー５の端部を掛装したときに、遮蔽材１Ａの下角部（下辺端部）を保持して、遮蔽材１Ａが容易にはばたつかないようにするためである。また、図１に示す例のように、脚部材４に設ける溝部４２を十字状で複数個所（図示する例では４箇所）に形成することで、遮蔽材１Ａの向きに応じてウェイトバー６の端部、或いは遮蔽材１Ａの下角部（下辺端部）又は下辺の一部を係止できる。
【００３７】
このように、脚部材４の溝部４２に、ウェイトバー６の端部、或いは遮蔽材１Ａの下角部（下辺端部）又は下辺の一部を挿通するのみで遮蔽材１Ａのばたつきを抑制できることから、溝部４２を必ずしも十字状に形成せずともよいが、十字状に形成することで、遮蔽材１Ａのばたつきを抑制し、組み立ても容易で、且つ組み立ての自由度を向上させることができる。
【００３８】
また、脚部材４に形成される溝部４２は、図１及び図２に示すように、脚部材４の外形側部から柱部材２の下端を保持するための支持溝４１に対し部分的に並設される位置まで延在して形成されている。このため、遮蔽材１Ａの側辺と柱部材２とが部分的に重なるように遮蔽材１Ａを架設させることができる。これにより、遮蔽材１Ａの側辺と柱部材２との間の隙間を抑制させることができ、美観を向上させ、且つ利用者のプライバシーの保護向上に寄与するものとなる。
【００３９】
尚、図１及び図２に示す例では、遮蔽材１Ａの下辺にウェイトバー６を設ける例を示しているが、ウェイトバー６は無くともよい。ただし、ウェイトバー６が有ることで、生地で構成したときの遮蔽材１Ａが張設されて美観が向上するため、好ましくはウェイトバー６を設けるようにする。
【００４０】
図１及び図２に示す例において、支持バー５とウェイトバー６は、それぞれ同一の形状を有し、木材や金属材、或いは合成樹脂材等の材料を利用して丸棒状とする例を示しているが、遮蔽材１Ａを支持又は保持するように機能する限りにおいて用途に応じた任意の硬度・形状・大きさで形成される。そして、図１及び図２に示す例では、遮蔽材１Ａの上辺の全長に亘って、支持バー５の大部分を包むように袋縫する部位１１Ａが遮蔽材１Ａに形成されている。同様に、遮蔽材１Ａの下辺の全長に亘って、ウェイトバー６の大部分を包むように袋縫する部位１２Ａが遮蔽材１Ａに形成されている。
【００４１】
このため、図１及び図２に示す例では、支持バー５を用いて遮蔽材１Ａの上辺を支持する場合でも、遮蔽材１Ａに対する正面視で遮蔽材１Ａの上辺に支持バー５に対する隙間が生じるのを防ぐことができる。同様に、ウェイトバー６を用いて遮蔽材１Ａの下辺を保持する場合でも、遮蔽材１Ａに対する正面視で遮蔽材１Ａの下辺にウェイトバー６に対する隙間が生じるのを防ぐことができる。これにより、美観を向上させ、且つ利用者のプライバシーの保護向上に寄与するものとなる。
【００４２】
尚、支持バー５とウェイトバー６は、それぞれ必ずしも同一の形状を有していなくともよい。ただし、それぞれ同一の形状を有するものとすることで、コストを削減させ、且つ遮蔽材１Ａの上下を逆転させて架設できるようになり、この観点からも組み立ても容易で、且つ組み立ての自由度を向上させることができる。
【００４３】
そして、図１及び図２に示すように、容易に組み立て可能な簡易式の間仕切り装置が構成され、特許文献１に開示されるような従来技法と比較して、遮蔽材１Ａのばたつきを抑制してより安定した間仕切りが可能となり、支持バー５（又はウェイトバー６）と遮蔽材１Ａとの間や、柱部材２と遮蔽材１Ａとの間の隙間を小さくすることができ、より美観を高め、且つ利用者のプライバシーをより保つことができるようになる。
【００４４】
（応用例１）
図３は、図１及び図２に示す第１実施形態の間仕切り装置による応用例１の概略構成を示す斜視図であり、より具体的には、３本の柱部材２を用いて、２枚の遮蔽材１Ａ，１Ａ’を架設する例である。尚、遮蔽材１Ａは、上述したように、遮蔽材１Ａの上辺の全長に亘って、支持バー５の大部分を包むように袋縫する部位１１Ａが形成されており、同様に、遮蔽材１Ａの下辺の全長に亘って、ウェイトバー６の大部分を包むように袋縫する部位１２Ａが遮蔽材１Ａに形成されている。遮蔽材１Ａ’は、遮蔽材１Ａと同様に構成される。
【００４５】
即ち、遮蔽材１Ａ’は、遮蔽材１Ａ’の上辺の全長に亘って、支持バー５’の大部分を包むように袋縫する部位１１Ａ’が形成されて、同様に、遮蔽材１Ａ’の下辺の全長に亘って、ウェイトバー６’の大部分を包むように袋縫する部位１２Ａ’が遮蔽材１Ａ’に形成されている。尚、支持バー５’も支持バー５と同様に構成され、ウェイトバー６’もウェイトバー６と同様に構成されている。
【００４６】
そして、図３に示す３本の柱部材２は、それぞれの脚部材４によって直立支持されており、３本の柱部材２の各上端にはそれぞれのキャップ部材３が蓋着されている。四角状のキャップ部材３の各側面にはそれぞれ１つずつフック３１が設けられており、図示するように２本の支持バー５，５’をそれぞれ平面上で異なる方向に掛装できる。
【００４７】
このため、図３に例示するように、３本の柱部材２を用いて、２枚の遮蔽材１Ａ，１Ａ’を架設可能であり、且つ遮蔽材１Ａ，１Ａ’のばたつきを抑制してより安定した間仕切りが可能となる。更には、支持バー５，５’（又はウェイトバー６，６’）と対応する遮蔽材１Ａ，１Ａ’との間や、柱部材２と遮蔽材１Ａ，１Ａ’との間の隙間を小さくすることができ、より美観を高め、且つ利用者のプライバシーをより保つことができるようになる。
【００４８】
図３に示す例では、３本の柱部材２を用いて２枚の遮蔽材１Ａ，１Ａ’を実質的に隙間なく安定して架設する間仕切り装置とする例としたが、更に柱部材２を追加して更なる遮蔽材を架設することができ、このためＮ（Ｎは２以上の整数）本の柱部材２を用いてＮ−１枚の遮蔽材を実質的に隙間なく安定して架設する間仕切り装置とすることができる。
【００４９】
（応用例２）
図４は、図１及び図２に示す第１実施形態の間仕切り装置による応用例２の概略構成を示す斜視図である。ただし、図４に示す応用例２では、図３に示す応用例１と比較して、２枚の遮蔽材１Ａ，１Ａ’を用いる代わりに１枚の遮蔽材１Ｂを用いるものとし、３本の柱部材２を用いて、１枚の遮蔽材１Ｂを連架する例である。
【００５０】
図４に示す遮蔽材１Ｂは、その上辺の全長に亘って、２本の支持バー５，５’の大部分を個別に包むように、切欠き１３により区分して袋縫する部位１１Ｂが形成されており、同様に、遮蔽材１Ｂの下辺の全長に亘って、２本のウェイトバー６，６’の大部分を個別に包むように、切欠き１４により区分して袋縫する部位１２Ｂが形成されている。
【００５１】
そして、図４に示す３本の柱部材２は、それぞれの脚部材４によって直立支持されており、３本の柱部材２の各上端にはそれぞれのキャップ部材３が蓋着されている。四角状のキャップ部材３の各側面には、それぞれ１つずつフック３１が設けられており、図示するように２本の支持バー５，５’をそれぞれ平面上で異なる方向に掛装できる。
【００５２】
このため、図４に例示するように、３本の柱部材２を用いて、１枚の遮蔽材１Ｂを連架可能であり、且つ遮蔽材１Ｂのばたつきを抑制してより安定した間仕切りが可能となる。更には、支持バー５，５’（又はウェイトバー６，６’）と遮蔽材１Ｂとの間や、柱部材２と遮蔽材１Ｂとの間の隙間を小さくすることができ、より美観を高め、且つ利用者のプライバシーをより保つことができるようになる。
【００５３】
特に、図４に示す応用例２では、３本の柱部材２のうち遮蔽材１Ｂの両端以外に位置する柱部材２（図４に示す例では、３本の柱部材２のうち中央の柱部材２）のほとんどを遮蔽材で覆うことができ、図３に示す応用例１と比較して、より一層、美観を高め、且つ利用者のプライバシーをより保つことができるようになる。
【００５４】
図４に示す例では、３本の柱部材２を用いて１枚の遮蔽材１Ｂを実質的に隙間なく安定して連架する間仕切り装置とする例としたが、更に柱部材２を追加して当該１枚の遮蔽材１Ｂを更に連架する間仕切り装置とすることができる。このためＮ（Ｎは２以上の整数）本の柱部材２を用いて１枚の遮蔽材を実質的に隙間なく安定して架設する間仕切り装置とすることができる。また、応用例１，２を組み合わせた構成の間仕切り装置とすることもできる。
【００５５】
（支持バーによる遮蔽材の吊下構成例）
図５（ａ）乃至（ｄ）は、それぞれ本発明による第１実施形態の間仕切り装置における支持バー５により遮蔽材１Ｂ乃至１Ｅを吊下する際の構成例を示す図である。
【００５６】
まず、図５（ａ）に示す例は、図４に例示した遮蔽材１Ｂの詳細な構成例を示している。遮蔽材１Ｂには、その上辺の全長に亘って、支持バー５の大部分を包むように、切欠き１３により区分して袋縫する部位１１Ｂが支持バー５の軸方向に連続して（例えば等間隔の所定ピッチで）形成されている。ここで、各部位１１Ｂにおける支持バー５の軸方向幅Ｌ１は、切欠き１３における支持バー５の軸方向幅Ｌ２より長い幅広の袋縫部位としている。遮蔽材１Ｂに対する正面視で支持バー５と遮蔽材１Ｂとの間の隙間を小さくするには、切欠き１３の幅Ｌ２は狭いほど好適である。尚、このような切欠き１３を設けていない遮蔽材の例が上述した遮蔽材１Ａである。
【００５７】
このような切欠き１３を設けた遮蔽材１Ｂとすることで、各切欠き１３の所望位置で支持バー５の端部を突出させることができる。そして、図４に例示説明したように２本以上の支持バーを用いて１枚の遮蔽材１Ｂを吊下支持させることができる。また、遮蔽材１Ｂの下辺にてウェイトバー６を保持する場合も、図５（ａ）に示す例と同様、図４に例示説明したように遮蔽材１Ｂの下辺の全長に亘って、ウェイトバー６の大部分を包むように、切欠き１４により区分して袋縫する部位１２Ｂをウェイトバー６の軸方向に連続して（例えば等間隔の所定ピッチで）形成したものとすることができ、各切欠き１４の所望位置でウェイトバー６の端部を突出させることができる。尚、各切欠き１３の間隔は不均一でもよいし、各切欠き１４の間隔も不均一でもよいし、各切欠き１３と各切欠き１４における相対位置も必ずしも一致させる必要はない。
【００５８】
次に、図５（ｂ）に示す例は、掴持部材７を用いて支持バー５により上辺が支持される遮蔽材１Ｃの詳細な構成例を示している。遮蔽材１Ｃの上辺には、クリップ状の複数の掴持部材７が支持バー５の軸方向に連続して（例えば等間隔の所定ピッチで）配置される。そして、遮蔽材１Ｃの上辺は各掴持部材７の両端で掴持され、図示するように各掴持部材７の環状本体部分に支持バー５が挿通されることで、遮蔽材１Ｃが支持バー５に支持される。尚、各掴持部材７と支持バー５とを一体化させてもよい。例えば、支持バー５の一部に遮蔽材１Ｃの上辺を掴持する部位を設けたパイプ状のもの（例えば、一般的な生地の昇降を行うロールスクリーンに用いられる巻取パイプ等）としてもよい。
【００５９】
図５（ｂ）に示す各掴持部材７における支持バー５の軸方向幅Ｌ１は、各掴持部材７間の幅Ｌ２より長いものとしている。つまり、遮蔽材１Ｃに対する正面視で支持バー５と遮蔽材１Ｃとの間の隙間を小さくするには、各掴持部材７間の幅Ｌ２は狭いほど好適である。尚、掴持部材７は、図３に示すような間仕切り装置として構成するときは、支持バー５の大部分を包み、支持バー５の両端を部分的に突出させる単部材で構成することもできる。
【００６０】
ただし、複数の掴持部材７を用いて支持バー５により遮蔽材１Ｃの上辺を支持する構成とすることで、各掴持部材７の所望位置で支持バー５の端部を突出させることができる。そして、図４に例示説明したものと同様、２本以上の支持バーを用いて１枚の遮蔽材１Ｃを吊下支持させることができる。また、遮蔽材１Ｃの下辺にてウェイトバー６を保持する場合も、図５（ｂ）に示す例と同様に構成することができる。例えば、遮蔽材１Ｃの下辺に、クリップ状の複数の掴持部材７がウェイトバー６の軸方向に連続して（例えば等間隔の所定ピッチで）配置される構成とすることができ、複数の掴持部材７を用いてウェイトバー６により遮蔽材１Ｃの下辺を保持し、各掴持部材７の所望位置でウェイトバー６の端部を突出させる構成とすることができる。尚、遮蔽材１Ｃの上辺又は下辺における各掴持部材７の間隔は不均一でもよいし、遮蔽材１Ｃの上辺と下辺における各掴持部材７の相対位置も必ずしも一致させる必要はない。
【００６１】
次に、図５（ｃ）に示す例は、フック材８を用いて支持バー５により上辺が支持される遮蔽材１Ｄの詳細な構成例を示している。遮蔽材１Ｄの上辺部位１ａには、例えばカーテンレールに用いられるカーテンフックと同様のフック材８が支持バー５の軸方向に複数連続して（例えば等間隔の所定ピッチで）係止される。そして、遮蔽材１Ｄの上辺部位１ａは、図示するように各フック材８により支持バー５が掛装されることで、支持バー５により支持されて、所望位置で支持バー５の端部を突出させることができる。尚、各フック材８は、遮蔽材１Ｄの上辺部位１ａから取り外すこともできる（カーテンレール用のカーテン材に対するカーテンフックと同様）。図５（ｃ）に示す例では、遮蔽材１Ｄに対する正面視で支持バー５と遮蔽材１Ｄとの間の隙間を完全に防ぐことができる。
【００６２】
また、遮蔽材１Ｄの下辺にてウェイトバー６を保持する場合も、図５（ｃ）に示す例と同様に構成することができる。例えば、遮蔽材１Ｄの下辺部位にフック材８がウェイトバー６の軸方向に複数連続して（例えば等間隔の所定ピッチで）係止される。そして、遮蔽材１Ｄの下辺部位に係止される各フック材８によりウェイトバー６が掛装されることで、遮蔽材１Ｄは、ウェイトバー６により張設保持されて、所望位置でウェイトバー６の端部を突出させることができる。尚、遮蔽材１Ｄの下辺部位に係止される各フック材８は、上述と同様、取り外すこともできる。そして、遮蔽材１Ｄの上辺又は下辺における各フック材８の間隔は不均一でもよいし、遮蔽材１Ｃの上辺と下辺における各フック材８の相対位置も必ずしも一致させる必要はない。
【００６３】
次に、図５（ｄ）に示す例は、面ファスナー、両面テープ、或いはマグネット等による吸着部材１５を用いて支持バー５により上辺が支持される遮蔽材１Ｅの詳細な構成例を示している。例えば吸着部材１５として面ファスナーを用いる場合、その面ファスナーの配置例は適宜用途に応じて定めればよいが、例えば、面ファスナーを構成する貼付面（例えばフック面）が遮蔽材１Ｅの上辺部位１ａのほぼ全長に亘って形成され、支持バー５上に面ファスナーを構成する被貼付面（例えばループ面）が支持バー５の軸方向に複数連続して（例えば等間隔の所定ピッチで）固着されたものとすることができる。
【００６４】
そして、遮蔽材１Ｅの上辺部位１ａは、図示するように各吸着部材１５により支持バー５が取着されることで、支持バー５により支持されて、所望位置で支持バー５の端部を突出させることができる。図５（ｄ）に示す例では、遮蔽材１Ｅに対する正面視で支持バー５と遮蔽材１Ｅとの間の隙間を完全に防ぐことができる。
【００６５】
また、遮蔽材１Ｅの下辺にてウェイトバー６を保持する場合も、図５（ｄ）に示す例と同様に構成することができる。例えば、吸着部材１５により遮蔽材１Ｅの下辺部位にウェイトバー６が取着保持されることで、遮蔽材１Ｅは、ウェイトバー６により張設保持されて、所望位置でウェイトバー６の端部を突出させることができる。尚、遮蔽材１Ｅの上辺又は下辺における各吸着部材１５の間隔は不均一でもよいし、遮蔽材１Ｅの上辺と下辺における各吸着部材１５の相対位置も必ずしも一致させる必要はない。
【００６６】
以上のような図５（ａ）乃至（ｄ）に例示する技法のうち２以上を組み合わせて、支持バー５により遮蔽材を吊下する構成とすることもでき、図５（ａ）乃至（ｄ）に例示する技法について、各遮蔽材の上辺と下辺で異なる技法を採用した遮蔽材とすることもできる。
【００６７】
そして、図５（ａ）乃至（ｄ）に例示する技法を基に、上述した図１又は図３に示す例のように、複数本の柱部材２を用いて複数枚の遮蔽材を実質的に隙間なく安定して架設する間仕切り装置とすることや、上述した図４に示す例のように、複数本の柱部材２を用いて１枚の遮蔽材を実質的に隙間なく安定して架設する間仕切り装置とすることができ、更には、図３及び図４に示す構成を組み合わせた間仕切り装置とすることができる。
【００６８】
（柱部材の上端の構成例）
図６（ａ）乃至（ｄ）は、それぞれ本発明による第１実施形態の間仕切り装置における柱部材２により遮蔽材１Ａを吊下する支持バー５を保持する際の構成例を示す図である。
【００６９】
尚、図６では、代表して、柱部材２の上端にキャップ部材３が蓋着される例を示しているが、柱部材２とキャップ部材３が一体化したものや、柱部材２の上端自体にキャップ部材３と同様に機能する部位を設けて構成したものとすることができる。また、図６では、代表して、上述した遮蔽材１Ａの上辺が支持バー５により支持される例を示しているが、上述した図５に示す技法に従う遮蔽材を支持バー５により支持されるものとしてもよい。
【００７０】
まず、図６（ａ）に示す例は、上述した図１の例における遮蔽材１Ａ、柱部材２、キャップ部材３、及び支持バー５を部分的に示している。ここで、支持バー５は、１本の長尺な部材とすることができるが、図６（ａ）に示す例では、複数の支持バー素材５ａを連結し、支持バー５の全体の長さを調節できるようにした例を示している。また、このような複数の支持バー素材５ａを入れ子構造として伸縮自在の支持バー５とすることもできる。
【００７１】
図６（ａ）に示すように、キャップ部材３には、複数の鉤状のフック３１が設けられており、例えば四角状のキャップ部材３の各側面に１つずつ、計４個のフック３１が設けられている。尚、図示を省略するが、キャップ部材３以外にも、柱部材２自体に同様なフック３１を複数個所に設けた構成としてもよい。キャップ部材３のいずれかのフック３１には、遮蔽材１Ａの上辺を保持する支持バー５の端部が架設される。キャップ部材３に対し水平面上で異なる向きとなるように２個以上のフック３１を設けたものとすることができる。一対の柱部材２間に遮蔽材１Ａを架設した際に遮蔽材１Ａの側辺と柱部材２との間の隙間を抑制するためには、遮蔽材１Ａの上辺から部分的に突出させる支持バー５の端部の長さを、遮蔽材１Ａの側辺と柱部材２とが部分的に重なる範囲内でフック３１に掛装可能な長さとするのが好適である。
【００７２】
次に、図６（ｂ）に示す例は、図６（ａ）に示す例の変形例として構成され、同様な構成要素には同一の参照番号を付している。
【００７３】
図６（ｂ）に示すように、キャップ部材３には、フック３１を設ける代わりに凹部３３が設けられており、例えば四角状のキャップ部材３の各側面に１つずつ、計４個の凹部３３が設けられている。尚、図示を省略するが、キャップ部材３以外にも、柱部材２自体に同様な凹部３３を複数個所に設けた構成としてもよい。キャップ部材３のいずれかの凹部３３には、遮蔽材１Ａの上辺を保持する支持バー５の端部が架設される。尚、図６（ｂ）に示す例では、支持バー５の端部に支持バー５の軸方向を法線とする平面上で略垂直２方向に二股で突起する二股突起部５ｃが形成されている。この二股突起部５ｃは、支持バー５の端部に着脱可能な部材で構成してもよいし、或る支持バー素材５ａの一端部に固着されたものでもよい。二股突起部５ｃにおける一方の突起部分はキャップ部材３のいずれかの凹部３３に架設され、他方の突起部分はキャップ部材３の側面に当接して支持バー５の回転防止として作用する。
【００７４】
次に、図６（ｃ）に示す例は、図６（ａ）に示す例の変形例として構成され、同様な構成要素には同一の参照番号を付している。
【００７５】
図６（ｃ）に示すように、木材や合成樹脂材等で成形されたキャップ部材３には、フック３１を設ける代わりに磁性を持つ金属板３４が設けられており、例えば四角状のキャップ部材３の各側面に１つずつ、計４個の金属板３４が設けられている。尚、キャップ部材３自体を、磁性を持つ金属材料で形成したときは、このような金属板３４を省略できる。キャップ部材３のいずれかの金属板３４上の任意位置で、遮蔽材１Ａの上辺を保持する支持バー５の端部に設けられたマグネット５ｂが磁力により架設される。尚、図６（ｃ）に示すように、木材や合成樹脂材等で成形された柱部材２に磁性を持つ金属板２４を設け、柱部材２のいずれかの金属板２４上の任意位置で、支持バー５の端部に設けられたマグネット５ｂが磁力により架設されるようにしてもよい。尚、柱部材２自体を、磁性を持つ金属材料で形成したときは、このような金属板２４を省略できる。このような金属板２４，３４の代わりにマグネットを設け、支持バー５の端部のマグネット５ｂの代わりに金属板としてもよい。また、このような磁力による吸着力をもたらす構成とする代わりに、面ファスナーにより吸着力をもたらす構成とすることもできる。従って、支持バー５の端部は、マグネットや面ファスナー等による吸着部材により、柱部材２に対し（少なくとも柱部材２の上端部に対し）支持させる構成とすることができる。
【００７６】
次に、図６（ｄ）に示す例は、図６（ｂ）に示す例の変形例として構成され、同様な構成要素には同一の参照番号を付している。
【００７７】
図６（ｄ）に示すように、キャップ部材３には、溝部３０上に凹部３３が設けられており、例えば四角状のキャップ部材３の各側面に１つずつ、上下方向に延在する溝部３０が設けられ、各溝部３０に凹部３３が設けられている。尚、図示を省略するが、キャップ部材３以外にも、柱部材２自体に同様な凹部３３を複数個所に設けた構成としてもよい。キャップ部材３のいずれかの凹部３３には、遮蔽材１Ａの上辺を保持する支持バー５の端部が架設され、溝部３０により遮蔽材１Ａの側辺が覆われるようになっている。このため、柱部材２にも、柱部材２の各側面に１つずつ、上下方向に延在する溝部２０が設けられている。この場合、柱部材２を直立支持する脚部材４は、図１に示すような十字状の溝部４２を形成する代わりに、柱部材２の各側面における溝部２０の延長上に一条の溝部４２を形成したものとする（ここでは図示を省略するが、後述する図１０及び図１１に示す脚部材４と同様の構成とすることができる）。
【００７８】
以上のような図６（ａ）乃至（ｄ）に例示する技法のうち２以上を組み合わせて、支持バー５の端部を支持する柱部材２の上端を構成することもできる。従って、図６（ａ）乃至（ｄ）に例示する技法に基づく柱部材２は、その上端を含む複数個所で複数方向から遮蔽材１Ａの上辺端部を支持するための複数の支持部を有するものとして構成されたものとすることができる。
【００７９】
そして、図６（ａ）乃至（ｄ）に例示する技法を基に、上述した図１又は図３に示す例のように、複数本の柱部材２を用いて複数枚の遮蔽材を実質的に隙間なく安定して架設する間仕切り装置とすることや、上述した図４に示す例のように、複数本の柱部材２を用いて１枚の遮蔽材を実質的に隙間なく安定して架設する間仕切り装置とすることができ、更には、図３及び図４に示す構成を組み合わせた間仕切り装置とすることができる。
【００８０】
（柱部材の構成例）
図７（ａ）乃至（ｄ）は、それぞれ本発明による第１実施形態の間仕切り装置における柱部材２の構成例を示す図であり、図７において、同様な構成要素には同一の参照番号を付している。図７では、代表して、柱部材２の上端にキャップ部材３が蓋着される例を示しているが、柱部材２とキャップ部材３が一体化したものや、柱部材２の上端自体にキャップ部材３と同様に機能する部位を設けて構成したものとすることができる。
【００８１】
柱部材２は、上述した図１に示す例では四角断面形状の角材で柱部材２を構成する例を示したが、図７（ａ）に例示する六角断面形状のように、三角断面形状や六角断面等の多角断面形状の角材で構成することができる。また、図７（ａ）に示す例のように、複数の柱素材２ａを連結して柱部材２を構成するものとしてもよい。本例では、各柱素材２ａの上端には嵌合凸部２１が形成され、各柱素材２ａの下端には嵌合凹部２２が形成され、各柱素材２ａを連結し、柱部材２の長さを調節できるようにしている。また、キャップ部材３に形成されるスナップ溝３２は、柱素材２ａの上端の嵌合凸部２１と相対回転不能に嵌合する形態とすることができる。
【００８２】
また、図７（ａ）に示す例の変形例として、図７（ｂ）に例示する円断面形状のように、柱部材２は、円断面や楕円断面形状の丸材で構成することができる。図７（ｂ）に示す例においても、複数の柱素材２ａを連結して柱部材２を構成するものとしてもよい。本例では、各柱素材２ａの上端には嵌合凸部２１が形成され、各柱素材２ａの下端には嵌合凹部２２が形成され、各柱素材２ａを連結し、柱部材２の長さを調節できるようにしている。また、キャップ部材３に形成されるスナップ溝３２は、柱素材２ａの上端の嵌合凸部２１と相対回転可能に嵌合する形態とすることができる。尚、キャップ部材３を柱素材２ａの上端に対し相対回転不能に嵌合させる形態としたいときは、スナップ溝３２と嵌合凸部２１の各周面上に１つ以上の凹凸を設ければよい。
【００８３】
また、図７（ｂ）に示す例の変形例として、図７（ｃ）に例示するように、柱部材２は、合成樹脂材や紙筒等の中空部２３を有する中空状の筒材で構成することができる。図７（ｃ）に示す例では、キャップ部材３に形成されるスナップ溝３２は、筒材で構成した柱部材２の上端の外形に対して相対回転可能に嵌合する形態としている。尚、キャップ部材３を柱部材２の上端に対し相対回転不能に嵌合させる形態としたいときは、スナップ溝３２の内周面上に１つ以上の凹凸を設ければよい。
【００８４】
また、図７（ａ）乃至（ｃ）に示す例の変形例として、図７（ｄ）に例示するように、中空部２３を有する複数の柱素材２ａを伸縮自在の入れ子構造で連結して柱部材２を構成するものとしてもよい。
【００８５】
以上のような図７（ａ）乃至（ｄ）に例示する技法のうち２以上を組み合わせて、柱部材２を構成することもできる。
【００８６】
そして、図７（ａ）乃至（ｄ）に例示する技法を基に、上述した図１又は図３に示す例のように、複数本の柱部材２を用いて複数枚の遮蔽材を実質的に隙間なく安定して架設する間仕切り装置とすることや、上述した図４に示す例のように、複数本の柱部材２を用いて１枚の遮蔽材を実質的に隙間なく安定して架設する間仕切り装置とすることができ、更には、図３及び図４に示す構成を組み合わせた間仕切り装置とすることができる。
【００８７】
（脚部材の構成例）
図８（ａ）乃至（ｄ）は、それぞれ本発明による第１実施形態の間仕切り装置における柱部材２の下端を支持する脚部材４により、遮蔽材の側辺又は下辺の一部を保持するための脚部材４の溝部４２の形状に関する構成例を示す図である。尚、図８では、代表して、上述した遮蔽材１Ａの例を示しているが、上述した図５に示す技法に従う遮蔽材としてもよい。
【００８８】
まず、図８（ａ）に示す例では、上述した図１の例のように、遮蔽材１Ａの下辺に、断面図示するウェイトバー６の大部分を包むように袋縫する部位１２Ａが形成されている。この場合の溝部４２は、図８（ａ）に断面図示するように、ウェイトバー６の端部を遮蔽材１Ａの下辺端部又は下辺の一部の部位１２Ａごと落とし込み挿入で係止する挿入溝により構成され、遮蔽材１Ａのばたつきを抑えるのに十分な幅（好適にはウェイトバー６の最大断面径以上、１．５倍以下）を有したものとしている。この場合、容易にウェイトバー６の端部を脚部材４に係止させることができるが、不用意にその係止が外れる恐れもある。
【００８９】
そこで、図８（ｂ）に示す例では、図８（ａ）に示す例の変形例として、脚部材４の溝部４２に、遮蔽材１Ａの下辺から突出するウェイトバー６の端部のみをスナップ嵌合するスナップ溝４３が形成されている（これにより、図４に例示する遮蔽材１Ａの連架も可能となる）。この場合、ウェイトバー６の端部が脚部材４に対し不用意に外れるおそれを解消して、比較的容易に係止させることができる。ただし、当該スナップ溝４３は、遮蔽材１Ａの下角部（下辺端部）ごとウェイトバー６の端部を係止する形態としてもよい（これにより、図３に例示する遮蔽材１Ａの架設も可能となる）。
【００９０】
また、図８（ｃ）に示す例では、遮蔽材１Ａの下辺にウェイトバー６を保持しないときの例である。この場合の溝部４２は、遮蔽材１Ａの下角部（下辺端部）又は下辺の一部を落とし込み挿入で係止する挿入溝により構成され、遮蔽材１Ａのばたつきを抑えるのに十分な幅（好適には遮蔽材１Ａの最大厚み以上、１．５倍以下）を有したものとしている。この場合の溝部４２は、容易にウェイトバー６の端部を脚部材４に係止させることができるが、不用意にその係止が外れる恐れもある。
【００９１】
そこで、図８（ｄ）に示す例では、図８（ｃ）に示す例の変形例として、脚部材４の溝部４２に、遮蔽材１Ａの下角部（下辺端部）をスナップ嵌合する嵌合突起部４４が１つ以上（図示する例では４個）形成されている。この場合、遮蔽材１Ａの下角部（下辺端部）が脚部材４に対し不用意に外れるおそれを解消して、比較的容易に係止させることができる。
【００９２】
また、脚部材４に溝部４２を設けると共に、或いは脚部材４に溝部４２を設ける代わりに、遮蔽材１Ａの側辺の少なくとも一部を柱部材２に対し固定するための保持部材を設け、遮蔽材１Ａの側辺のばたつきを抑えるよう構成してもよい。例えば、図９は、本発明による第１実施形態の間仕切り装置における柱部材２により、遮蔽材の側辺の一部を保持するための構成例を示す図である。
【００９３】
図９に示すように、遮蔽材１Ａの側辺の少なくとも一部を柱部材２に対し固定するための保持部材として、柱部材２及び遮蔽材１Ａの側辺の一部に設けた面ファスナー、両面テープ、マグネット等の吸着部材１６、柱部材２を取り巻いて係止する帯体１７とすることができる。
【００９４】
吸着部材１６は、例えば面ファスナーを用いるときは、限定するものではないが、面ファスナーを構成する貼付面（例えばフック面）が遮蔽材１Ａの側辺の一部に形成され、柱部材２上に面ファスナーを構成する被貼付面（例えばループ面）がその上下方向全長に亘って固着されたものとすることができる。
【００９５】
また、帯体１７は、柱部材２を取り巻いて係止するのに十分な紐状のものとし、限定するものではないが、例えば、その一端が遮蔽材１Ａの側辺の一部に固着され、その他端が柱部材２を取り巻いてから面ファスナーで着脱可能に帯体１７に固着するか、或いは帯体１７に結び付けるものとする。
【００９６】
このような吸着部材１６と帯体１７のいずれか一方、又は双方を遮蔽材１Ａの側辺近傍に１つ以上設けることで、図９に示すように、仮に脚部材４に溝部４２を設けない場合でも、遮蔽材１Ａの側辺のばたつきを抑えることができる。尚、図９では、代表して遮蔽材１Ａを例に説明したが、図５に示す遮蔽材１Ｂ乃至１Ｅの場合も同様に構成することができる。
【００９７】
以上のように、図１乃至図９に示す各応用例及び変形例を含む第１実施形態の間仕切り装置によれば、容易に組み立て可能な簡易式の間仕切り装置が構成され、特許文献１に開示されるような従来技法と比較して、遮蔽材のばたつきを抑制してより安定した間仕切りが可能となり、支持バー５（又はウェイトバー６）と遮蔽材との間や、柱部材２と遮蔽材との間の隙間を小さくすることができ、より美観を高め、且つ利用者のプライバシーをより保つことができるようになる。
【００９８】
〔第２実施形態〕
（基本構成）
図１０は、本発明による第２実施形態の間仕切り装置の概略的な基本構成を示す斜視図である。また、図１１は、図１０に示す間仕切り装置の分解斜視図である。尚、第１実施形態と同様な構成要素には同一の参照番号を付している。図１０に示す間仕切り装置は、２本の柱部材２と、柱部材２を直立支持する脚部材４と、２本の柱部材２間に架設されるよう各側辺が対応する柱部材２によって支持される遮蔽材１Ｈと、を備える。本例では、遮蔽材１Ｈは、生地により構成される。
【００９９】
図１及び図２に示す２本の柱部材２は、それぞれ同一の形状を有し、木材や金属材、或いは合成樹脂材や紙筒材等の材料を利用して、支柱として機能する限りにおいて用途に応じた任意の硬度・形状・大きさで形成される。搬送を考慮すれば、できる限り軽量のものとすることが好ましく、合成樹脂材や紙筒材等の材料を利用したものとするのが好適である。尚、図１０及び図１１に示す例では、単一の筒材で柱部材２を構成する例を示しているが、上述した図７を参照して例示したものと同様、三角断面形状や六角断面等の多角断面形状の角材、又は円断面や楕円断面形状の丸材、或いは連結式とすることや入れ子構造で伸縮自在としてもよい。また、例えば、柱部材２の周面上の一部に遮蔽材１Ｈの一側辺を掴持する部位を設けたパイプ状のもの（例えば、一般的な生地の昇降を行うロールスクリーンに用いられる巻取パイプ等）としてもよい。
【０１００】
図１０及び図１１に示すように、本実施形態では、第１実施形態で説明したキャップ部材３、支持バー５、及びウェイトバー６を不要としている。
【０１０１】
また、図１０及び図１１に示す例では、遮蔽材１Ｈの各側辺に柱部材２を袋縫する部位１８Ｈを設けており、脚部材４により柱部材２を直立支持することができる限りにおいて、遮蔽材１Ｈの各側辺を対応する柱部材２に巻き付けて、２本の柱部材２間に架設される遮蔽材１Ｈの上辺及び下辺の長さを調節することができるものとしている。このため、遮蔽材１Ｈの一側辺を柱部材２に固定することができればよく、図５に示した支持バー５に対して遮蔽材の上辺を支持する技法を、遮蔽材１Ｈの一側辺を柱部材２に固定する技法へと応用することができる。
【０１０２】
図１０及び図１１に示す各脚部材４は、それぞれ同一の形状を有し、木材や金属材、或いは合成樹脂材等の材料を利用して、柱部材２を直立支持する部材であり、柱部材２が横転しにくいように、柱部材２を直立支持するように機能する限りにおいて用途に応じた任意の硬度・形状・大きさで形成される。尚、脚部材４を成樹脂材で形成するときは、図示しない錘部材を固着又は内包させて、柱部材２が横転しにくいように所定の重さを持たせるように構成してもよい。
【０１０３】
図１０及び図１１に示すように、脚部材４には、柱部材２の下端を挿通し保持するための柱部材２の外形（又は柱部材２に遮蔽材１Ｈの側辺を数回程度巻き付けて巻太りした外形）に係合する支持溝４１が形成されている。また、図示するように脚部材４には、一条の溝部４２が複数個所（図示する例では４箇所）に形成されている。本実施形態における溝部４２は、遮蔽材１Ｈの下角部（下辺端部）を保持して、遮蔽材１Ｈの下辺と脚部材４を設置する床面との間の隙間をできる限り小さくするためである。この溝部４２は、上述した図８（ｃ），（ｄ）の技法を応用して、遮蔽材１Ｈの下角部（下辺端部）を落とし込むか、又はスナップ嵌合する構造とすることができる。
【０１０４】
このように、本実施形態では、遮蔽材１Ｈを張設配置することができ、遮蔽材１Ｈのばたつきを抑制してより安定した間仕切りが可能となる。また、遮蔽材１Ｈの正面視で遮蔽材１Ｈの側辺と柱部材２との間の隙間を完全に完全に防ぐことができ、美観を向上させ、且つ利用者のプライバシーの保護向上に寄与するものとなる。また、柱部材２を連結式とすることや入れ子構造とすることで伸縮自在とし、遮蔽材１Ｈの各側辺を巻き付けることで、遮蔽材１Ｈの縦横の長さを調節でき、設置自由度が向上する。
【０１０５】
（応用例１）
図１２は、図１０及び図１１に示す第２実施形態の間仕切り装置による応用例１の概略構成を示す斜視図であり、より具体的には、３本の柱部材２を用いて、１枚の遮蔽材１Ｈを架設する例である。尚、遮蔽材１Ｈは、上述した例と同様、遮蔽材１Ｈの各側辺に柱部材２を袋縫する部位１８Ｈを設けており、２本の柱部材２間に架設されるよう各側辺が対応する柱部材２によって支持されるものとなっている。ただし、図１２に示す例では、遮蔽材１Ｈの各側辺を支持する２本の柱部材２間に、別の柱部材２を配置して遮蔽材１Ｈを図示するように屈曲させている。
【０１０６】
そして、３本の柱部材２の各々は、それぞれ脚部材４により直立支持されており、脚部材４に形成される溝部４２に従って、遮蔽材１Ｈの下辺の一部を保持させることができる。
【０１０７】
このため、図１２に例示するように、３本の柱部材２を用いて、１枚の遮蔽材１Ｈを屈曲して張設配置することができ、遮蔽材１Ｈのばたつきを抑制してより安定した間仕切りが可能となる。また、遮蔽材１Ｈの正面視で遮蔽材１Ｈの側辺と柱部材２との間の隙間を完全に完全に防ぐことができ、美観を向上させ、且つ利用者のプライバシーの保護向上に寄与するものとなる。また、柱部材２を連結式とすることや入れ子構造とすることで伸縮自在とし、遮蔽材１Ｈの各側辺を巻き付けることで、遮蔽材１Ｈの縦横の長さを調節でき、設置自由度が向上する。
【０１０８】
（応用例２）
図１３は、図１０及び図１１に示す第２実施形態の間仕切り装置による応用例２の概略構成を示す斜視図であり、図１２に示す応用例１と同様、３本の柱部材２を用いて、１枚の遮蔽材１Ｈを架設する例である。そして、遮蔽材１Ｈの各側辺を支持する２本の柱部材２間に、別の柱部材２を配置して遮蔽材１Ｈを図示するように屈曲させている。ただし、図１３に示す応用例２では、図１２に示す応用例１と比較して、３本の柱部材２のうち中央に位置する柱部材２を袋縫で隠すための部位１９Ｈが遮蔽材１Ｈに形成されている。
【０１０９】
このため、図１３に示す応用例２では、応用例１の利点を有しながら、３本の柱部材２のうち遮蔽材１Ｂの両端以外に位置する柱部材２（図１３に示す例では、３本の柱部材２のうち中央の柱部材２）のほとんどを遮蔽材１Ｈで覆うことができ、図１３に示す応用例１と比較して、より一層、美観を高め、且つ利用者のプライバシーをより保つことができるようになる。
【０１１０】
尚、遮蔽材１Ｈにおける袋縫とした部位１９Ｈに、或いは遮蔽材１Ｈに形成される部位１９Ｈを袋縫とする代わりに、面ファスナー、両面テープ、マグネット等による吸着部材１６を適所に１つ以上設けて、対応する柱部材２に対し着脱可能に固定することもできる。
【０１１１】
図１２及び図１３に示す例では、３本の柱部材２を用いて１枚の遮蔽材１Ｈを安定して連架する間仕切り装置とする例としたが、更に柱部材２を追加して当該１枚の遮蔽材１Ｈを更に屈曲させて連架する間仕切り装置とすることができる。このためＮ（Ｎは２以上の整数）本の柱部材２を用いて１枚の遮蔽材を架設する間仕切り装置とすることができる。
【０１１２】
（変形例）
また、遮蔽材１Ｈの上辺と下辺のいずれか一方、又はその双方に、自由曲折可能なワイヤなどを包設した構成の遮蔽材１Ｈとすることができる。例えば、図１４は、本発明による第２実施形態の間仕切り装置による変形例の概略構成を示す斜視図であり、遮蔽材１Ｈの上辺の部位１０に、弾性変形で自由曲折可能なワイヤ５Ａを包設して遮蔽材１Ｈを構成している。
【０１１３】
このようなワイヤ５Ａを有する遮蔽材１Ｈとすることで、ワイヤ５Ａを弾性変形で任意位置にて曲折させることで、利用者にとって所望の間仕切り形状の遮蔽材１Ｈが実現され、使い勝手が向上するという作用・効果を生じるものとなる。
【０１１４】
以上のように、図１０乃至図１４に示す各応用例及び変形例を含む第２実施形態の間仕切り装置によれば、容易に組み立て可能な簡易式の間仕切り装置が構成され、特許文献１に開示されるような従来技法と比較して、遮蔽材のばたつきを抑制してより安定した間仕切りが可能となり、遮蔽材に対する正面視で柱部材２と遮蔽材との間の隙間を完全に塞ぎ、より美観を高め、且つ利用者のプライバシーをより保つことができるようになる。
【０１１５】
以上、特定の実施形態の例を挙げて本発明を説明したが、本発明は前述の実施形態の例に限定されるものではなく、その技術思想を逸脱しない範囲で種々変形可能である。例えば、第１実施形態及び第２実施形態を組み合わせた間仕切り装置とすることもできる。
【産業上の利用可能性】
【０１１６】
本発明によれば、より安定した間仕切りを可能とし、より美観を向上させることができるので、簡易組み立て可能な間仕切り装置の用途に有用である。
【符号の説明】
【０１１７】
１Ａ，１Ｂ，１Ｃ，１Ｄ，１Ｅ，１Ｈ  遮蔽材
２  柱部材
２ａ  柱素材
３  キャップ部材
４  脚部材
５  支持バー
５ａ  支持バー素材
５Ａ  ワイヤ
６  ウェイトバー
７  掴持部材
８  フック材
１３，１４  切欠き
１５，１６  吸着部材
１７  帯体
２１  嵌合凸部
２２  嵌合凹部
３０  溝部
３１  フック
３３  凹部
３４  金属板
４１  支持溝
４２  溝部
４３  スナップ溝
４４  嵌合突起部
【図１】
2020045725.tif 000003
【図２】
2020045725.tif 000004
【図３】
2020045725.tif 000005
【図４】
2020045725.tif 000006
【図５】
2020045725.tif 000007
【図６】
2020045725.tif 000008
【図７】
2020045725.tif 000009
【図８】
2020045725.tif 000010
【図９】
2020045725.tif 000011
【図１０】
2020045725.tif 000012
【図１１】
2020045725.tif 000013
【図１２】
2020045725.tif 000014
【図１３】
2020045725.tif 000015
【図１４】
2020045725.tif 000016